(57)【要約】  ネットワークスライス構成方法、第１のネットワーク要素および第２のネットワーク要素が提供される。ネットワークスライス構成方法は、第２のネットワーク要素がネットワークスライス構成情報に対応するネットワークスライス情報を格納するように、第１のネットワーク要素がネットワークスライス構成情報を第２のネットワーク要素に送信することと、第２のネットワーク要素が、第１のネットワーク要素のネットワークスライス構成情報を受信することと、第２のネットワーク要素が、ネットワークスライス構成情報に対応するネットワークスライス情報を格納することとを含む。
2021510266.tif 000002
【特許請求の範囲】
【請求項１】
第２のネットワーク要素がネットワークスライス構成情報に対応するネットワークスライス情報を格納するように、第１のネットワーク要素が前記ネットワークスライス構成情報を前記第２のネットワーク要素に送信することを含む、ネットワークスライス構成方法。
【請求項２】
前記第１のネットワーク要素が前記ネットワークスライス構成情報を取得することをさらに含む、請求項１に記載のネットワークスライス構成方法。
【請求項３】
前記ネットワークスライス構成情報は、ネットワークスライス情報、セルが属するネットワークスライスの情報、端末のデータ無線ベアラが属するネットワークスライスの情報、セルが属するトレーシングエリアの情報、または、トレーシングエリアによってサポートされるネットワークスライスの情報のうちの少なくとも１つを含む、請求項１または２に記載のネットワークスライス構成方法。
【請求項４】
前記ネットワークスライス情報は、シングルネットワークスライスセレクションアシスタンス情報、ネットワークスライスセレクションアシスタンス情報、または、ネットワークスライスタイプのうちの少なくとも１つを含む、請求項３に記載のネットワークスライス構成方法。
【請求項５】
前記端末の前記データ無線ベアラが属する前記ネットワークスライスと、前記データ無線ベアラに対応するデータ接続セッションが属するネットワークスライスとは、１つの同じネットワークスライスである、請求項３に記載のネットワークスライス構成方法。
【請求項６】
第２のネットワーク要素が、第１のネットワーク要素のネットワークスライス構成情報を受信することと、
前記第２のネットワーク要素が、前記ネットワークスライス構成情報に対応するネットワークスライス情報を格納することとを含む、ネットワークスライス構成方法。
【請求項７】
前記ネットワークスライス構成情報は、ネットワークスライス情報、セルが属するネットワークスライスの情報、端末のデータ無線ベアラが属するネットワークスライスの情報、セルが属するトレーシングエリアの情報、または、トレーシングエリアによってサポートされるネットワークスライスの情報のうちの少なくとも１つを含む、請求項６に記載のネットワークスライス構成方法。
【請求項８】
前記ネットワークスライス情報は、シングルネットワークスライスセレクションアシスタンス情報、ネットワークスライスセレクションアシスタンス情報、または、ネットワークスライスタイプのうちの少なくとも１つを含む、請求項７に記載のネットワークスライス構成方法。
【請求項９】
前記端末の前記データ無線ベアラが属する前記ネットワークスライスと、前記データ無線ベアラに対応するデータ接続セッションが属するネットワークスライスとは、１つの同じネットワークスライスである、請求項７に記載のネットワークスライス構成方法。
【請求項１０】
前記ネットワークスライス構成情報は、セルが属するトレーシングエリアの情報を含み、
前記第２のネットワーク要素が、前記ネットワークスライス構成情報に対応する前記ネットワークスライス情報を格納することは、
前記第２のネットワーク要素が、前記セルが属する前記トレーシングエリアの前記情報と、前記トレーシングエリアによってサポートされるネットワークスライスの情報とに従って、前記セルが属するネットワークスライスの情報を決定し、前記セルが属する前記ネットワークスライスの前記情報を、セル情報、または、前記第２のネットワーク要素によってサポートされるネットワークスライスの情報に格納することを含む、請求項６または９のいずれか１項に記載のネットワークスライス構成方法。
【請求項１１】
前記ネットワークスライス構成情報は、セルが属するネットワークスライスの情報を含み、
前記第２のネットワーク要素が、前記ネットワークスライス構成情報に対応する前記ネットワークスライス情報を格納することは、
前記第２のネットワーク要素が、前記セルが属する前記ネットワークスライスの前記情報を、セル情報、または、前記第２のネットワーク要素によってサポートされるネットワークスライスの情報に格納することを含む、請求項６または９のいずれか１項に記載のネットワークスライス構成方法。
【請求項１２】
前記ネットワークスライス構成情報は、端末のデータ無線ベアラが属するネットワークスライスの情報を含み、
前記第２のネットワーク要素が、前記ネットワークスライス構成情報に対応する前記ネットワークスライス情報を格納することは、
前記第２のネットワーク要素が、前記ネットワークスライス構成情報を前記端末のコンテキストに格納する、請求項６または９のいずれか１項に記載のネットワークスライス構成方法。
【請求項１３】
第１のネットワーク要素であって、
送信モジュールを含み、前記送信モジュールは、第２のネットワーク要素がネットワークスライス構成情報に対応するネットワークスライス情報を格納するように、前記ネットワークスライス構成情報を前記第２のネットワーク要素に送信するように構成される、第１のネットワーク要素。
【請求項１４】
前記ネットワーク要素はさらに、前記ネットワークスライス構成情報を取得するように構成される取得モジュールを含む、請求項１３に記載の第１のネットワーク要素。
【請求項１５】
第２のネットワーク要素であって、
第１のネットワーク要素のスライス構成情報を受信するように構成される受信モジュールと、
前記ネットワークスライス構成情報に対応するネットワークスライス情報を格納するように構成される格納モジュールとを含む、第２のネットワーク要素。
【請求項１６】
第１のプロセッサと、前記第１のプロセッサ上で実行可能なコンピュータプログラムを格納するための第１のメモリとを含み、前記第１のプロセッサは、前記コンピュータプログラムを実行すると、請求項１〜５のいずれか１項に記載の方法のステップを実行するように構成される、第１のネットワーク要素。
【請求項１７】
第２のプロセッサと、前記第２のプロセッサ上で実行可能なコンピュータプログラムを格納するための第２のメモリとを含み、前記第２のプロセッサは、前記コンピュータプログラムを実行すると、請求項６〜１２のいずれか１項に記載の方法のステップを実行するように構成される、第２のネットワーク要素。
【請求項１８】
コンピュータ読取可能記憶媒体であって、前記コンピュータ読取可能記憶媒体は、プロセッサによって実行されると、請求項１〜５のいずれか１項に記載のネットワークスライス構成方法のステップを実現するか、または、請求項６〜１２のいずれか１項に記載のネットワークスライス構成方法のステップを実現するコンピュータプログラムを格納するように構成される、コンピュータ読取可能記憶媒体。
【発明の詳細な説明】
【技術分野】
【０００１】
関連出願への相互参照
本願は、２０１８年１月１０日に出願された中国特許出願番号第２０１８１００２３５７３．４号に対する優先権を主張しており、その開示は、本明細書において全文参照により援用される。
【０００２】
技術分野
本願は、ネットワークスライシング技術に関し、特に、ネットワークスライス構成方法、第１のネットワーク要素および第２のネットワーク要素に関する。
【背景技術】
【０００３】
背景
第５世代（５Ｇ: Fifth Generation）のモバイル通信では、ユーザの大量の接続およびより高い速度要求によって、ロングタームエボリューション（ＬＴＥ: long-term evolution）システムにおけるコモンパブリック無線インターフェイス（ＣＰＲＩ: common public radio interface）の送信キャパシティに対して大きな困難が課されている。ＣＰＲＩは、リモート無線ユニット（ＲＲＵ: remote radio unit）とビルディングベースバンドユニット（ＢＢＵ: building baseband unit）との間のフロントホールインターフェイスである。ＣＰＲＩは、物理層符号化変調などによって処理される同相直交（ＩＱ: In-phase Quadrature）信号を送信するので、送信遅延および帯域幅に対する要求がより高い。５Ｇエアインターフェイスは、１秒当たり数十ギガバイト（Ｇｂｐｓ: Gigabyte per second）まで増加される速度を有する場合、ＣＰＲＩのトラフィックについての需要は、１秒当たりテラバイト（Ｔｂｐｓ: Tera Bytes per second）のレベルに達することになる。これにより、ネットワークデプロイメントコストに対して多大な圧力が与えられるとともに困難性が与えられる。したがって、５Ｇシステムでは、フロントホールインターフェイスの分割が再定義される必要がある。たとえば、遅延非依存ユーザプレーン機能は、集約ユニット（ＣＵ: centralized unit）において実現され、遅延依存ユーザプレーン機能は分散ユニット（ＤＵ: distributed unit）において実現される。ＣＵとＤＵとの間の送信は、理想的および／または非理想的なフロントホールインターフェイスを通じて実行される。
【０００４】
図１は、３ＧＰＰ  ＴＳ  ３８．３００プロトコルによって特定される５Ｇ構造の概略図である。図１に示されるように、５Ｇは、５Ｇコアネットワーク（５ＧＣ）および５Ｇアクセスネットワーク（ＮＧ−ＲＡＮ）を含む。５Ｇコアネットワークは、アクセスおよびモビリティ管理（ＡＭＦ: Access and Mobility Management Function）ネットワーク要素およびユーザプレーン機能（ＵＰＦ: User Plane Function）ネットワーク要素を含む。５Ｇアクセスネットワークは、５Ｇコアネットワークに接続される４Ｇベースステーション（ｎｇ−ｅＮＢ）または５Ｇベースステーション（ｇＮＢ）を含む。コアネットワーク要素とアクセスネットワーク要素との間のインターフェイスはＮＧインターフェイスであり、アクセスネットワーク要素同士間のインターフェイスはＸｎインターフェイスである。
【０００５】
図２は、３ＧＰＰ  ＴＳ  ３８．４０１プロトコルによって特定されるＣＵ−ＤＵ機能のアーキテクチャの概略図である。図２に示されるように、異なるアクセスネットワーク要素のＣＵ同士間のインターフェイスはＸｎインターフェイスであり、アクセスネットワーク要素におけるＣＵとＤＵとの間のインターフェイスはＦ１インターフェイスであり、アクセスネットワークと５Ｇコアネットワークとの間のインターフェイスはＮＧインターフェイスである。
【０００６】
図３は、アクセスネットワーク要素内の論理接続の概略図である。図３に示されるように、ＣＵは制御プレーンＣＵ（ＣＵ−Ｃ）とユーザプレーンＣＵ（ＣＵ−Ｕ）とに分割され、ＤＵとＣＵ−Ｃとの間のインターフェイスはＦ１−Ｃインターフェイスであり、ＤＵとＣＵ−Ｕとの間のインターフェイスはＦ１−Ｕインターフェイスであり、異なるアクセスネットワーク要素のＣＵ−Ｃ同士間のインターフェイスはＸｎ−Ｃインターフェイスであり、異なるアクセスネットワーク要素のＣＵ−Ｕ同士間のインターフェイスはＸｎ−Ｕインターフェイスであり、ＣＵ−Ｃとコアネットワーク要素との間のインターフェイスはＮＧ−Ｃインターフェイスであり、ＣＵ−Ｕとコアネットワーク要素との間のインターフェイスはＮＧ−Ｕインターフェイスである。
【発明の概要】
【発明が解決しようとする課題】
【０００７】
上述した５Ｇ構造のＣＵ−ＤＵ機能のアーキテクチャでは、コアネットワークは、端末のためにサービスを提供するために、ネットワークスライスの構成に基づいて、対応するリソースを端末に割り当てる必要がある。しかしながら、関連技術では、ネットワークスライスを構成するための有効な方法は提供されていない。
【課題を解決するための手段】
【０００８】
概要
本願の実施形態は、ネットワークスライスの構成を実現することにより、端末のためにサービスを提供し得るネットワークスライス構成方法を提供する。
【０００９】
本願の実施形態は、ネットワークスライス構成方法を提供する。当該方法は、以下に記載されるステップを含む。第２のネットワーク要素がネットワークスライス構成情報に対応するネットワークスライス情報を格納するように、第１のネットワーク要素がネットワークスライス構成情報を第２のネットワーク要素に送信する。
【００１０】
実施形態では、当該方法はさらに、以下に記載されるステップを含む。第１のネットワーク要素がネットワークスライス構成情報を取得する。
【００１１】
実施形態では、ネットワークスライス構成情報は、ネットワークスライス情報、セルが属するネットワークスライスの情報、端末のデータ無線ベアラが属するネットワークスライスの情報、セルが属するトレーシングエリアの情報、または、トレーシングエリアによってサポートされるネットワークスライスの情報のうちの少なくとも１つを含む。
【００１２】
実施形態では、ネットワークスライス情報は、シングルネットワークスライスセレクションアシスタンス情報、ネットワークスライスセレクションアシスタンス情報、または、ネットワークスライスタイプのうちの少なくとも１つを含む。
【００１３】
実施形態では、端末のデータ無線ベアラが属するネットワークスライスと、データ無線ベアラに対応するデータ接続セッションが属するネットワークスライスとは、１つの同じネットワークスライスである。
【００１４】
本願の実施形態はさらに、ネットワークスライス構成方法を提供する。当該方法は、以下に記載されるステップを含む。第２のネットワーク要素が、第１のネットワーク要素のネットワークスライス構成情報を受信する。第２のネットワーク要素が、ネットワークスライス構成情報に対応するネットワークスライス情報を格納する。
【００１５】
実施形態では、ネットワークスライス構成情報は、ネットワークスライス情報、セルが属するネットワークスライスの情報、端末のデータ無線ベアラが属するネットワークスライスの情報、セルが属するトレーシングエリアの情報、または、トレーシングエリアによってサポートされるネットワークスライスの情報のうちの少なくとも１つを含む。
【００１６】
実施形態では、ネットワークスライス情報は、シングルネットワークスライスセレクションアシスタンス情報、ネットワークスライスセレクションアシスタンス情報、または、ネットワークスライスタイプのうちの少なくとも１つを含む。
【００１７】
実施形態では、端末のデータ無線ベアラが属するネットワークスライスと、データ無線ベアラに対応するデータ接続セッションが属するネットワークスライスとは、１つの同じネットワークスライスである。
【００１８】
実施形態では、ネットワークスライス構成情報は、セルが属するトレーシングエリアの情報を含む。
【００１９】
第２のネットワーク要素がネットワークスライス構成情報に対応するネットワークスライス情報を格納するステップは、以下に記載されるステップを含む。第２のネットワーク要素が、セルが属するトレーシングエリアの情報と、トレーシングエリアによってサポートされるネットワークスライスの情報とに従って、セルが属するネットワークスライスの情報を決定し、セルが属するネットワークスライスの情報を、セル情報、または、第２のネットワーク要素によってサポートされるネットワークスライスの情報に格納する。
【００２０】
実施形態では、ネットワークスライス構成情報は、セルが属するネットワークスライスの情報を含む。
【００２１】
第２のネットワーク要素がネットワークスライス構成情報に対応するネットワークスライス情報を格納するステップは、以下に記載されるステップを含む。第２のネットワーク要素が、セルが属するネットワークスライスの情報を、セル情報、または、第２のネットワーク要素によってサポートされるネットワークスライスの情報に格納する。
【００２２】
実施形態では、ネットワークスライス構成情報は、端末のデータ無線ベアラが属するネットワークスライスの情報を含む。
【００２３】
第２のネットワーク要素がネットワークスライス構成情報に対応するネットワークスライス情報を格納するステップは、以下に記載されるステップを含む。第２のネットワーク要素が、ネットワークスライス構成情報を端末のコンテキストに格納する。
【００２４】
本願の実施形態はさらに、第１のネットワーク要素を提供する。第１のネットワーク要素は、送信モジュールを含む。
【００２５】
送信モジュールは、第２のネットワーク要素がネットワークスライス構成情報に対応するネットワークスライス情報を格納するように、ネットワークスライス構成情報を第２のネットワーク要素に送信するように構成される。
【００２６】
実施形態では、ネットワーク要素はさらに、取得モジュールを含む。取得モジュールは、ネットワークスライス構成情報を取得するように構成される。
【００２７】
本願の実施形態はさらに、第２のネットワーク要素を提供する。第２のネットワーク要素は、受信モジュールおよび格納モジュールを含む。
【００２８】
受信モジュールは、第１のネットワーク要素のネットワークスライス構成情報を受信するように構成される。
【００２９】
格納モジュールは、ネットワークスライス構成情報に対応するネットワークスライス情報を格納するように構成される。
【００３０】
本願の実施形態はさらに、第１のネットワーク要素を提供する。第１のネットワーク要素は、第１のプロセッサと、第１のプロセッサ上で実行可能なコンピュータプログラムを格納するための第１のメモリとを含み、第１のプロセッサは、コンピュータプログラムを実行すると、本願の実施形態に従った第１のネットワーク要素に適用されるネットワークスライス構成方法のステップを実行するように構成される。
【００３１】
本願の実施形態はさらに、第２のネットワーク要素を提供する。第２のネットワーク要素は、第２のプロセッサと、第２のプロセッサ上で実行可能なコンピュータプログラムを格納するための第２のメモリとを含み、第２のプロセッサは、コンピュータプログラムを実行すると、本願の実施形態に従った第２のネットワーク要素に適用されるネットワークスライス構成方法のステップを実行するように構成される。
【００３２】
本願の実施形態は、コンピュータ読取可能記憶媒体を提供する。コンピュータ読取可能記憶媒体は、プロセッサによって実行されると、第１のネットワーク要素または第２のネットワーク要素において適用されるネットワークスライス構成方法のステップを実現するコンピュータプログラムを格納するように構成される。
【００３３】
本願の実施形態におけるネットワークスライス構成方法によれば、端末のためにサービスが提供されるように、第１のネットワーク要素が第２のネットワーク要素にネットワークスライス構成情報を送信する態様によってネットワークスライスの構成が実現される。
【００３４】
本願の技術的ソリューションをさらに理解するために図面が提供される。図面は、説明の部分を構成する。本願の図面および実施形態は、本願の技術的ソリューションを説明するために使用され、本願の技術的ソリューションを限定することを意図しない。
【図面の簡単な説明】
【００３５】
【図１】３ＧＰＰ  ＴＳ  ３８．３００プロトコルによって特定される５Ｇ構造の概略図である。
【図２】３ＧＰＰ  ＴＳ  ３８．４０１プロトコルによって特定されるＣＵ−ＤＵ機能のアーキテクチャの概略図である。
【図３】関連技術におけるアクセスネットワーク要素内の論理接続の概略図である。
【図４】本願の実施形態に従った、第１のネットワーク要素側でのネットワークスライス構成方法のフローチャートである。
【図５】本願の実施形態に従った、第２のネットワーク要素側でのネットワークスライス構成方法のフローチャートである。
【図６】本願の第１の実施形態に従ったネットワークスライス構成方法のフローチャートである。
【図７】本願の第２の実施形態に従ったネットワークスライス構成方法のフローチャートである。
【図８】本願の第３の実施形態に従ったネットワークスライス構成方法のフローチャートである。
【図９】本願の第４の実施形態に従ったネットワークスライス構成方法のフローチャートである。
【図１０】本願の第５の実施形態に従ったネットワークスライス構成方法のフローチャートである。
【図１１】本願の第６の実施形態に従ったネットワークスライス構成方法のフローチャートである。
【図１２】本願の実施形態に従った第１のネットワーク要素の構造図である。
【図１３】本願の実施形態に従った第２のネットワーク要素の構造図である。
【図１４】本願の実施形態に従った別の第１のネットワーク要素の構造図である。
【図１５】本願の実施形態に従った別の第２のネットワーク要素の構造図である。
【発明を実施するための形態】
【００３６】
詳細な説明
本願の目的、技術的ソリューションおよび利点は、図面と関連して本願の実施形態の詳細な説明からより明白となるであろう。なお、本願における実施形態および特徴は、相反することがなければ、互いに組み合わされてもよい。
【００３７】
図面のフローチャートに示されるステップは、コンピュータ実行可能命令のセットのように、コンピュータシステムによって実行されてもよい。論理シーケンスがフローチャートに示されているが、示されるステップまたは記載されるステップは、いくつかの場合においては、本明細書で記載されるシーケンスとは異なるシーケンスで実行されてもよい。
【００３８】
図４を参照して、本願の実施形態は、ネットワークスライス構成方法を提供する。当該方法は、以下に記載されるステップを含む。
【００３９】
ステップ４００において、第１のネットワーク要素は、第２のネットワーク要素がネットワークスライス構成情報に対応するネットワークスライス情報を格納するように、第２のネットワーク要素にネットワークスライス構成情報を送信する。
【００４０】
本願の実施形態では、ネットワークスライス構成情報は、ネットワークスライス情報、セルが属するネットワークスライスの情報、端末のデータ無線ベアラが属するネットワークスライスの情報、セルが属するトレーシングエリア（ＴＡ: tracing area)の情報、または、ＴＡによってサポートされるネットワークスライスの情報のうちの少なくとも１つを含む。
【００４１】
このようにネットワークスライスを構成した後、セルに従って端末にリソースが割り当てられ、これにより、端末のモビリティ管理能力が効果的に向上される。たとえば、端末がＣＵ下にあるＤＵから別のＤＵに移動する必要がある場合、ＣＵは、端末をターゲットＤＵに切り替え得、ターゲットＤＵによって提供されるセルが属するネットワークスライスのうちの少なくとも１つは、端末によってサポートされるネットワークスライスである。そうでなければ、端末がターゲットＤＵに切り替えられた後、ターゲットＤＵ上のセルが属するネットワークスライスのいずれもが、端末によってサポートされるネットワークスライスではない場合、端末は切り替えに失敗し得る。
【００４２】
本願の随意の実施形態では、ネットワークスライス情報は、シングルネットワークスライスセレクションアシスタンス情報（Ｓ−ＮＳＳＡＩ: single network slice selection assistance information）、ネットワークスライスセレクションアシスタンス情報（ＮＳＳＡＩ: network slice selection assistance information）、または、ネットワークスライスタイプ（ＳＴ: slice type）のうちの少なくとも１つを含む。上記方法によりネットワークスライスが構成された後、セルに従って端末にリソースが割り当てられ、これにより、端末のモビリティ管理能力が効果的に向上される。
【００４３】
本願の随意の実施形態において、端末のデータ無線ベアラ（ＤＲＢ: data radio bearer）が属するネットワークスライスと、データ無線ベアラに対応するデータ接続セッション（電力分散ユニット（ＰＤＵ: power distribution unit）セッション）が属するネットワークスライスとは、１つの同じネットワークスライスである。これにより、第２のネットワーク要素（たとえばＤＵ）は、端末のＤＲＢが属するネットワークスライスのリソース状態に従ってリソースを割り当て得、これにより、リソース割り当ての精度が向上するとともに、ネットワークスライスの間でのリソースの分離が確実にされる。
【００４４】
本願の実施形態において、第１のネットワーク要素が第２のネットワーク要素にセルが属するＴＡの情報を送信する場合、セルが属するＴＡの情報の特定のフォーマット、すなわち、セルの情報とＴＡの情報との間の対応関係が以下に記載される２つの形式のうちの１つで送信されてもよい。
【００４５】
第１の形式では、表１に示されるように、第１のネットワーク要素は、ＴＡの情報と、ＴＡに属するセルの情報（たとえば、ＴＡに属するセルのリスト）とを第２のネットワーク要素に送信する。
【００４６】
【表１】
2021510266.tif 000003
【００４７】
第２の形式では、第１のネットワーク要素は、表２に示されるように、セルの情報と、セルが属するＴＡの情報とを第２のネットワーク要素に送信する。
【００４８】
【表２】
2021510266.tif 000004
【００４９】
本願の実施形態において、第１のネットワーク要素が第２のネットワーク要素にセルが属するネットワークスライスの情報を送信する場合、セルが属するネットワークスライスの情報の特定のフォーマット、すなわち、セルの情報とネットワークスライスの情報との間の対応関係は、以下に記載される２つの形式のうちの１つで送信されてもよい。
【００５０】
第１の形式では、表３に示されるように、第１のネットワーク要素は、ネットワークスライスの情報と、ネットワークスライスに属するセルの情報（たとえば、ネットワークスライスに属するセルのリスト）とを第２のネットワーク要素に送信する。
【００５１】
【表３】
2021510266.tif 000005
【００５２】
第２の形式では、第１のネットワーク要素は、表４に示されるように、セルの情報と、セルが属するネットワークスライスの情報とを第２のネットワーク要素に送信する。
【００５３】
【表４】
2021510266.tif 000006
【００５４】
本願の実施形態において、第１のネットワーク要素が第２のネットワーク要素に端末のＤＲＢが属するネットワークスライスの情報を送信する場合、端末のＤＲＢが属するネットワークスライスの情報の特定のフォーマット、すなわち、端末のＤＲＢの情報と、ネットワークスライスの情報との間の対応関係が、以下に記載される２つの形式のうちの１つで送信されてもよい。
【００５５】
第１の形式では、表５に示されるように、第１のネットワーク要素は、ネットワークスライスの情報と、ネットワークスライスに属するＤＲＢの情報（たとえば、ネットワークスライスに属するＤＲＢのリスト）とを第２のネットワーク要素に送信する。
【００５６】
【表５】
2021510266.tif 000007
【００５７】
第２の形式では、第１のネットワーク要素は、表６に示されるように、ＤＲＢの情報と、ＤＲＢが属するネットワークスライスの情報とを第２のネットワーク要素に送信する。
【００５８】
【表６】
2021510266.tif 000008
【００５９】
本願の随意の実施形態では、当該方法は、以下に記載されるステップをさらに含む。
ステップ４０１において、第１のネットワーク要素は、ネットワークスライス構成情報を取得する。
【００６０】
本願の実施形態において、ネットワークスライス構成情報がＤＵ上における端末のＤＲＢが属するネットワークスライスの情報である場合、端末のＤＲＢが属するネットワークスライスの情報は、ＤＲＢとデータ接続セッションとの間のマッピング関係と、データ接続セッションが属するネットワークスライスの情報とに従って決定されて得る。
【００６１】
例として、端末のＤＲＢが属するネットワークスライスと、ＤＲＢに対応するデータ接続セッションが属するネットワークスライスとは、１つの同じネットワークスライスであるので、端末のＤＲＢが属するネットワークスライスは、ＤＲＢに対応するデータ接続セッションが属するネットワークスライスである。
【００６２】
本願の実施形態において、ネットワークスライス構成情報が、セルが属するネットワークスライスの情報である場合、セルが属するネットワークスライスの情報は、ネットワーク管理により構成される、セルが属するＴＡの情報およびＴＡによってサポートされるネットワークスライスの情報に従って決定され得る。すなわち、セルが属するネットワークスライスの情報は、セルが属するＴＡによってサポートされるネットワークスライスの情報である。
【００６３】
本実施形態では、第１のネットワーク要素および第２のネットワーク要素は、任意のネットワーク要素であってもよく、たとえば、第１のネットワーク要素はＤＵであり、第２のネットワーク要素はＣＵであるか、または、第１のネットワーク要素はＣＵであり、第２のネットワーク要素はＤＵである。
【００６４】
図５を参照して、本願の実施形態はさらに、ネットワークスライス構成方法を提供する。当該方法は、以下に記載されるステップを含む。
【００６５】
ステップ５００において、第２のネットワーク要素は、第１のネットワーク要素によって送信されるネットワークスライス構成情報を受信する。
【００６６】
本願の実施形態では、ネットワークスライス構成情報は、ネットワークスライス情報、セルが属するネットワークスライスの情報、端末のＤＲＢが属するネットワークスライスの情報、セルが属するＴＡの情報、または、ＴＡによってサポートされるネットワークスライスの情報のうちの少なくとも１つを含む。
【００６７】
本願の実施形態では、ネットワークスライス情報は、Ｓ−ＮＳＳＡＩ、ＮＳＳＡＩまたはネットワークＳＴのうちの少なくとも１つを含む。
【００６８】
本願の随意の実施形態において、端末のＤＲＢが属するネットワークスライスと、ＤＲＢに対応するデータ接続セッションが属するネットワークスライスとは、１つの同じネットワークスライスである。これにより、第２のネットワーク要素（たとえばＤＵ）は、端末のＤＲＢが属するネットワークスライスのリソース状態に従ってリソースを割り当て得、これにより、リソース割り当ての精度が向上するとともにネットワークスライス同士の間のリソースの分離が保証される。第１のネットワーク要素が、端末のＤＲＢがどのネットワークスライスに属するかを認識していない場合、別のネットワークスライスの機能を端末のＤＲＢに割り当てることが可能である。
【００６９】
ステップ５０１において、第２のネットワーク要素は、ネットワークスライス構成情報に対応するネットワークスライス情報を格納する。
【００７０】
本願の実施形態では、ネットワークスライス構成情報が、セルが属するＴＡの情報を含む場合、セルが属するネットワークスライスの情報は、セルが属するＴＡの情報と、ＴＡによってサポートされるネットワークスライスの情報とに従って、決定される。セルが属するネットワークスライスの情報は、セルの情報、または、第２のネットワーク要素によってサポートされるネットワークスライスの情報に格納される。
【００７１】
セルが属するネットワークスライスの情報は、セルが属するＴＡによってサポートされるネットワークスライスの情報である。
【００７２】
ネットワークスライス構成情報が、セルが属するネットワークスライスの情報を含む場合、第２のネットワーク要素は、セルの情報、または、第２のネットワーク要素によってサポートされるネットワークスライスの情報に、セルが属するネットワークスライスの情報を格納する。
【００７３】
ネットワークスライス構成情報が、端末のＤＲＢが属するネットワークスライスの情報を含む場合、第２のネットワーク要素は、ネットワークスライス構成情報を端末のコンテキストに格納する。
【００７４】
本実施形態では、第１のネットワーク要素および第２のネットワーク要素は、任意のネットワーク要素であってもよく、たとえば、第１のネットワーク要素はＤＵであり、第２のネットワーク要素はＣＵであるか、または、第１のネットワーク要素はＣＵであり、第２のネットワーク要素はＤＵである。
【００７５】
本願の実施形態は、端末のためにサービスが提供されるように第１のネットワーク要素が第２のネットワーク要素にネットワークスライス構成情報を送信する態様によって、ネットワークスライスの構成を実現する。
【００７６】
上記方法の具体的な実現例が、図１から図３に関連して具体的な随意の実施形態によって詳細に記載される。
【００７７】
第１の実施形態
本実施形態では、ＤＵは、ＤＵ側セルが属するＴＡの情報をＣＵに送信し、セルが属するＴＡの情報のフォーマットは、ＴＡの情報およびＴＡに属するセルの情報である。
【００７８】
図６を参照して、当該方法は、以下に記載されるステップを含む。
ステップ６００において、ＤＵは、ネットワーク管理を通じて、各セルについて対応するＴＡを構成する。
【００７９】
ステップ６０１において、ＤＵは、Ｆ１−Ｃインターフェイスのセットアップ処理またはＦ１−Ｃインターフェイスのアップデート処理をトリガし、Ｆ１−Ｃインターフェイスのセットアップ処理またはＦ１−Ｃインターフェイスのアップデート処理において、セルが属するＴＡの情報をＣＵに送信する。当該フォーマットは、ＴＡ情報およびＴＡに属するセルの情報である。
【００８０】
このステップにおいて、ＤＵは、Ｆ１インターフェイスのＦ１セットアップ要求（F1 SETUP REQUEST）メッセージおよび／またはＧＮＢ−ＤＵ構成アップデート（GNB-DU CONFIGURATION UPDATE）メッセージなどのメッセージにおいて、セルが属するＴＡの情報を担持し、当該メッセージをＣＵに送信し得る。たとえば、セットアップ要求（SETUP REQUEST）メッセージ内の各ＴＡ情報は、ＴＡに属するセルの情報を担持する。
【００８１】
このステップでは、ＴＡによってサポートされるネットワークスライスの情報もＣＵに送られ得る。
【００８２】
ステップ６０２において、ＣＵは、セルが属するＴＡの情報を受信し、セルが属するＴＡの情報に従って、セルが属するネットワークスライスの情報を決定する。
【００８３】
このステップでは、ＣＵおよびＤＵが、構成を通じてＴＡによってサポートされるネットワークスライスをラーニングするか、または、ＣＵがＴＡによってサポートされるネットワークスライスの情報を受信するので、ＣＵは、受信されたＴＡ情報およびＴＡに属するセルの情報に従って、ＤＵ側のセルが属するネットワークスライスの情報を間接的に取得し得る。
【００８４】
例として、セルが属するネットワークスライスは、セルが属するＴＡによってサポートされるネットワークスライスである。
【００８５】
ステップ６０３において、ＣＵは、セルが属するネットワークスライスの情報を、ＣＵによってサポートされるネットワークスライスの情報に格納し、ＮＧインターフェイスのセットアップフローまたはアップデートフローをトリガし、ＮＧインターフェイスのセットアップフローまたはアップデートフローにおいて、セルが属するネットワークスライスの情報を５ＧＣネットワーク要素に送信する。
【００８６】
第２の実施形態
本実施形態では、ＤＵは、ＤＵ側セルが属するＴＡの情報をＣＵに送信し、セルが属するＴＡの情報のフォーマットは、セルの情報およびセルが属するＴＡの情報である。
【００８７】
図７を参照して、当該方法は、以下に記載されるステップを含む。
ステップ７００において、ＤＵは、ネットワーク管理を通じて、各セルについて対応するＴＡを構成する。
【００８８】
ステップ７０１において、ＤＵは、Ｆ１−Ｃインターフェイスのセットアップ処理またはＦ１−Ｃインターフェイスのアップデート処理をトリガし、Ｆ１−Ｃインターフェイスのセットアップ処理またはＦ１−Ｃインターフェイスのアップデート処理において、セルが属するＴＡの情報をＣＵに送信する。当該フォーマットは、セルの情報およびセルが属するＴＡの情報である。
【００８９】
このステップにおいて、ＤＵは、Ｆ１セットアップ要求（F1 SETUP REQUEST）メッセージおよび／またはＧＮＢ−ＤＵ構成アップデート（GNB-DU CONFIGURATION UPDATE）メッセージなどのメッセージにおいて、セルが属するＴＡの情報を担持し、当該メッセージをＣＵに送信し得る。たとえば、Ｆ１セットアップ要求（F1 SETUP REQUEST）メッセージのサーブドセル情報（Served Cell Information）フィールドは、セルが属するＴＡの情報を担持する。
【００９０】
実施形態では、ＴＡによってサポートされるネットワークスライスの情報もＣＵに送信され得る。
【００９１】
ステップ７０２において、ＣＵは、セルが属するＴＡの情報を受信し、セルが属するＴＡの情報に従って、セルが属するネットワークスライスの情報を決定する。
【００９２】
このステップでは、ＣＵおよびＤＵが、構成を通じてＴＡによってサポートされるネットワークスライスをラーニングするか、または、ＣＵが、ＴＡによってサポートされるネットワークスライスの情報を受信するので、ＣＵは、受信されたＴＡ情報およびＴＡに属するセルの情報に従って、ＤＵ側のセルが属するネットワークスライスの情報を間接的に取得し得る。
【００９３】
具体的には、セルが属するネットワークスライスは、セルが属するＴＡによってサポートされるネットワークスライスである。
【００９４】
ステップ７０３において、ＣＵは、セルが属するネットワークスライスの情報を、ＣＵによってサポートされるネットワークスライスの情報に格納し、ＮＧインターフェイスのセットアップフローまたはアップデートフローをトリガし、ＮＧインターフェイスのセットアップフローまたはアップデートフローにおいて、セルが属するネットワークスライスの情報を５ＧＣネットワーク要素に送信する。
【００９５】
第３の実施形態
本実施形態では、ＤＵは、ＤＵ側セルが属するネットワークスライスの情報をＣＵに送信し、セルが属するネットワークスライスの情報のフォーマットは、ネットワークスライス情報およびネットワークスライスに属するセルの情報である。
【００９６】
図８を参照して、当該方法は、以下に記載されるステップを含む。
ステップ８００において、ＤＵは、ネットワーク管理を通じて、各セルについて対応するネットワークスライスを構成する。
【００９７】
ステップ８０１において、ＤＵは、Ｆ１−Ｃインターフェイスのセットアップ処理またはＦ１−Ｃインターフェイスのアップデート処理をトリガし、Ｆ１−Ｃインターフェイスのセットアップ処理またはＦ１−Ｃインターフェイスのアップデート処理において、セルが属するネットワークスライスの情報をＣＵに送信する。当該フォーマットは、ネットワークスライス情報およびネットワークスライスに属するセルの情報である。
【００９８】
このステップにおいて、ＤＵは、Ｆ１セットアップ要求（F1 SETUP REQUEST）メッセージおよび／またはＧＮＢ−ＤＵ構成アップデート（GNB-DU CONFIGURATION UPDATE）メッセージなどのメッセージにおいて、セルが属するネットワークスライスの情報を担持し、当該メッセージをＣＵに送信し得る。たとえば、セットアップ要求（SETUP REQUEST）メッセージのネットワークスライス情報フィールドは、ネットワークスライスに属するセルの情報を担持する。
【００９９】
ステップ８０２において、ＣＵは、セルが属するネットワークスライスの情報を受信し、セルが属するネットワークスライスの情報をＣＵによってサポートされるネットワークスライスの情報に格納し、ＮＧインターフェイスのセットアップフローまたはアップデートフローをトリガし、ＮＧインターフェイスのセットアップフローまたはアップデートフローにおいて、セルが属するネットワークスライスの情報を５ＧＣネットワーク要素に送信する。
【０１００】
第４の実施形態
本実施形態では、ＤＵは、ＤＵ側セルが属するネットワークスライスの情報をＣＵに送信し、セルが属するネットワークスライスの情報のフォーマットは、セル情報およびセルが属するネットワークスライスの情報である。
【０１０１】
図９を参照して、当該方法は、以下に記載されるステップを含む。
ステップ９００において、ＤＵは、ネットワーク管理を通じて、各セルについて対応するネットワークスライスを構成する。
【０１０２】
ステップ９０１において、ＤＵは、Ｆ１−Ｃインターフェイスのセットアップ処理またはＦ１−Ｃインターフェイスのアップデート処理をトリガし、Ｆ１−Ｃインターフェイスのセットアップ処理またはＦ１−Ｃインターフェイスのアップデート処理において、セルが属するネットワークスライスの情報をＣＵに送信する。当該フォーマットは、セル情報およびセルが属するネットワークスライスの情報である。
【０１０３】
このステップにおいて、ＤＵは、Ｆ１セットアップ要求（F1 SETUP REQUEST）メッセージおよび／またはＧＮＢ−ＤＵ構成アップデート（GNB-DU CONFIGURATION UPDATE）メッセージなどのメッセージにおいて、セルが属するネットワークスライスの情報を担持し、当該メッセージをＣＵに送信し得る。
【０１０４】
例として、Ｆ１セットアップ要求（F1 SETUP REQUEST）メッセージのサーブドセル情報（Served Cell Information）フィールドにおいて、セルが属するネットワークスライスの情報が担持される。
【０１０５】
ステップ９０２において、ＣＵは、セルが属するネットワークスライスの情報を受信し、セルが属するネットワークスライスの情報をＣＵによってサポートされるネットワークスライスの情報に格納し、ＮＧインターフェイスのセットアップフローまたはアップデートフローをトリガし、ＮＧインターフェイスのセットアップフローまたはアップデートフローにおいて、セルが属するネットワークスライスの情報を５ＧＣネットワーク要素に送信する。
【０１０６】
第５の実施形態
本実施形態では、ＣＵは、ＤＵ側セルが属するネットワークスライスの情報をＤＵに送信する。
【０１０７】
図１０を参照して、当該方法は、以下に記載されるステップを含む。
ステップ１０００において、ＣＵは、ネットワーク管理を通じて、ＤＵ側セルが属するネットワークスライスの情報を構成する。
【０１０８】
ステップ１００１において、ＣＵは、ＤＵ側セルが属するネットワークスライスの情報をＤＵに送信する。
【０１０９】
このステップにおいて、ＣＵは、Ｆ１−Ｃインターフェイスセットアップ応答メッセージまたはＦ１−Ｃインターフェイスアップデート構成メッセージ（ｇＮＢ−ＣＵ構成アップデート（gNB-CU configuration Update））を通じて、ＤＵ側セルが属するネットワークスライスの情報をＤＵに送信し得る。たとえば、ＣＵは、Ｆ１−Ｃインターフェイスセットアップ応答メッセージにおけるアクティベートされるべきセルリストアイテム（Cells to be Activated List Item）フィールドにおいて、ＤＵ側セルが属するネットワークスライスの情報を担持し得る。
【０１１０】
ステップ１００２において、ＤＵは、セルが属するネットワークスライスの情報を受信し、セルが属するネットワークスライスの情報をセル情報に格納する。
【０１１１】
第６の実施形態
本実施形態では、ＣＵは、ＤＵ上の端末のＤＲＢが属するネットワークスライスの情報をＤＵに送信する。
【０１１２】
図１１を参照して、当該方法は、以下に記載されるステップを含む。
ステップ１１００において、ＣＵは、ＤＵに属する端末についてＤＲＢを確立し、ＤＲＢが属するネットワークスライスの情報を決定する。
【０１１３】
このステップにおいて、たとえば、ＣＵが５ＧＣからＰＤＵセッションリソースセットアップ要求（PDU SESSION RESOURCE SETUP REQUEST）メッセージを受信すると、ＣＵは、ＤＵ上で確立される必要があるＤＲＢにデータ接続セッションをマッピングする。ＰＤＵセッションが属するネットワークスライスとＤＲＢが属するネットワークスライスとは整合しなければならないので、ＣＵは、ＤＲＢを確立する処理において、ＤＵ上で確立される必要があるＤＲＢに、ＰＤＵセッションが属するネットワークスライスを構成する。
【０１１４】
ステップ１１０１において、ＣＵは、ＤＵ上の端末のＤＲＢが属するネットワークスライスの情報をＤＵに送信する。
【０１１５】
このステップにおいて、ＣＵは、ＵＥコンテキストセットアップ（UE Context Setup）フローにおけるＵＥコンテキストセットアップ要求（UE CONTEXT SETEUP REQUEST）メッセージ、または、ＵＥコンテキスト修正（UE Context Modification）フローにおけるＵＥコンテキスト修正要求（UE CONTEXT MODIFICATION REQUEST）メッセージなどのメッセージを通じて、ＤＲＢが属するネットワークスライスの情報をＤＵに送信し得る。たとえば、ＤＲＢが属するネットワークスライスの情報は、ＵＥコンテキストセットアップ要求メッセージのセットアップされるべきＤＲＢアイテムＩＥｓ（DRB to Be SETUP Item IEs）フィールドにおいて担持され得る。
【０１１６】
ステップ１１０２において、ＤＵは、端末のＤＲＢが属するネットワークスライスの情報を端末のコンテキストに格納する。
【０１１７】
図１２を参照して、本願の実施形態は、第１のネットワーク要素を提供する。第１のネットワーク要素は、送信モジュールを含む。送信モジュールは、第２のネットワーク要素がネットワークスライス構成情報に対応するネットワークスライス情報を格納するように、ネットワークスライス構成情報を第２のネットワーク要素に送信するように構成される。
【０１１８】
実施形態では、第１のネットワーク要素はさらに、取得モジュールを含む。取得モジュールは、ネットワークスライス構成情報を取得するように構成される。
【０１１９】
実施形態では、ネットワークスライス構成情報は、ネットワークスライス情報、セルが属するネットワークスライスの情報、端末のＤＲＢが属するネットワークスライスの情報、セルが属するＴＡの情報、または、ＴＡによってサポートされるネットワークスライスの情報のうちの少なくとも１つを含む。
【０１２０】
実施形態では、ネットワークスライス情報は、Ｓ−ＮＳＳＡＩ、ＮＳＳＡＩまたはネットワークＳＴのうちの少なくとも１つを含む。
【０１２１】
実施形態では、端末のＤＲＢが属するネットワークスライスと、ＤＲＢに対応するデータ接続セッションが属するネットワークスライスとは、１つの同じネットワークスライスである。
【０１２２】
本願の実施形態はさらに、第２のネットワーク要素を提供する。第２のネットワーク要素は、受信モジュールおよび格納モジュールを含む。
【０１２３】
受信モジュールは、第１のネットワーク要素のネットワークスライス構成情報を受信するように構成され、格納モジュールは、ネットワークスライス構成情報に対応するネットワークスライス情報を格納するように構成される。
【０１２４】
実施形態では、ネットワークスライス構成情報は、ネットワークスライス情報、セルが属するネットワークスライスの情報、端末のＤＲＢが属するネットワークスライスの情報、セルが属するＴＡの情報、または、ＴＡによってサポートされるネットワークスライスの情報のうちの少なくとも１つを含む。
【０１２５】
実施形態では、ネットワークスライス情報は、Ｓ−ＮＳＳＡＩ、ＮＳＳＡＩまたはネットワークＳＴのうちの少なくとも１つを含む。
【０１２６】
実施形態では、端末のＤＲＢが属するネットワークスライスと、ＤＲＢに対応するデータ接続セッションが属するネットワークスライスとは、１つの同じネットワークスライスである。
【０１２７】
実施形態では、ネットワークスライス構成情報は、セルが属するＴＡの情報を含む。
格納モジュールは、セルが属するＴＡの情報およびＴＡによってサポートされるネットワークスライスの情報に従って、セルが属するネットワークスライスの情報を決定し、セルが属するネットワークスライスの情報を、セル情報、または、第２のネットワーク要素によってサポートされるネットワークスライスの情報に格納するように構成される。
【０１２８】
実施形態では、ネットワークスライス構成情報は、セルが属するネットワークスライスの情報を含む。
【０１２９】
格納モジュールは、セルが属するネットワークスライスの情報を、セル情報、または、第２のネットワーク要素によってサポートされるネットワークスライスの情報に格納するように構成される。
【０１３０】
実施形態では、ネットワークスライス構成情報は、端末のＤＲＢが属するネットワークスライスの情報を含む。
【０１３１】
格納モジュールは、ネットワークスライス構成情報を端末のコンテキストに格納するように構成される。
【０１３２】
図１４を参照して、本願の実施形態は、第１のネットワーク要素を提供する。第１のネットワーク要素は、第１のプロセッサと、第１のプロセッサ上で実行可能なコンピュータプログラムを格納するための第１のメモリとを含み、第１のプロセッサは、本願の実施形態に従った第１のネットワーク要素に適用されるネットワークスライス構成方法のステップを実行するようコンピュータプログラムを実行するように構成される。
【０１３３】
図１５を参照して、本願の実施形態は、第２のネットワーク要素を提供する。第２のネットワーク要素は、第２のプロセッサと、第２のプロセッサ上で実行可能なコンピュータプログラムを格納するための第２のメモリとを含み、第２のプロセッサは、本願の実施形態に従った第２のネットワーク要素に適用されるネットワークスライス構成方法のステップを実行するようコンピュータプログラムを実行するように構成される。
【０１３４】
本願の実施形態はさらに、コンピュータ読取可能記憶媒体を提供する。コンピュータ読取可能記憶媒体は、プロセッサによって実行されると、第１のネットワーク要素または第２のネットワーク要素において適用されるネットワークスライス構成方法のステップを実現するコンピュータプログラムを格納するように構成される。
【０１３５】
メモリ（第１メモリおよび／または第２メモリ）は、揮発性メモリまたは不揮発性メモリのいずれであってもよく、揮発性メモリおよび不揮発性メモリの両方を含んでもよいということが理解されるべきである。不揮発性メモリは、リードオンリーメモリ（ＲＯＭ: read only memory）、プログラマブルリードオンリーメモリ（ＰＲＯＭ: programmable read-only memory）、消去可能プログラマブルリードオンリーメモリ（ＥＰＲＯＭ: erasable programmable read-only memory）、電気的消去可能プログラマブルリードオンリーメモリ（ＥＥＰＲＯＭ: electrically erasable programmable read-only memory）、強磁性ランダムアクセスメモリ（ＦＲＡＭ（登録商標）: ferromagnetic random access memory）、フラッシュメモリ（flash memory）、磁気表面メモリ、光ディスクまたはコンパクトディスクリードオンリーメモリ（ＣＤ−ＲＯＭ: compact disc read-only memory）であってもよい。磁気表面メモリは、磁気ディスクメモリまたは磁気テープメモリであってもよい。揮発性メモリは、外部高速キャッシュとして機能するランダムアクセスメモリ（ＲＡＭ: random access memory）であってもよい。限定ではなく例示として、スタティックランダムアクセスメモリ（ＳＲＡＭ: static random access memory）、シンクロナススタティックランダムアクセスメモリ（ＳＳＲＡＭ: synchronous static random access memory）、ダイナミックランダムアクセスメモリ（ＤＲＡＭ: dynamic random access memory）、シンクロナスダイナミックランダムアクセスメモリ（ＳＤＲＡＭ: synchronous dynamic random access memory）、ダブルデータレートシンクロナスダイナミックランダムアクセスメモリ（ＤＤＲＳＤＲＡＭ: double data rate synchronous dynamic random access memory）、エンハンスドシンクロナスダイナミックランダムアクセスメモリ（ＥＳＤＲＡＭ: enhanced synchronous dynamic random access memory）、シンクリンクダイナミックランダムアクセスメモリ（ＳＬＤＲＡＭ: SyncLink dynamic random access memory）およびダイレクトランバスランダムアクセスメモリ（ＤＲＲＡＭ: direct rambus random access memory）といった多くの形態のＲＡＭが使用されてもよい。本開示の実施形態に記載されるメモリは、これらおよび任意の他の好適なタイプのメモリを含むことが意図されるが、これらに限定されない。
【０１３６】
本開示の実施形態によって開示される方法は、プロセッサに適用されてもよく、または、プロセッサによって実現されてもよい。プロセッサは、信号処理能力を有する集積回路チップであってもよい。実現処理において、上述の方法のさまざまなステップは、プロセッサにおいてハードウェアの集積論理回路またはソフトウェア命令によって実行され得る。上に記載されるプロセッサは、汎用プロセッサ、デジタル信号プロセッサ（ＤＳＰ: digital signal processor）、別のプログラマブル論理デバイス、別の別個のゲートもしくはトランジスタ論理デバイス、または、別の別個のハードウェア構成要素などであってもよい。プロセッサは、本開示の実施形態において開示されるさまざまな方法、ステップ、および論理ブロック図を実現または実行し得る。汎用プロセッサは、マイクロプロセッサまたは任意の従来のプロセッサであってもよい。本開示の実施形態において開示される方法のステップは、ハードウェア復号プロセッサによって直接的に実現されてもよく、または、復号プロセッサにおけるハードウェアモジュールおよびソフトウェアモジュールの組み合わせによって実現されてもよい。ソフトウェアモジュールは、メモリに配置される記憶媒体に配置されてもよい。プロセッサは、メモリ内の情報を読み出し、プロセッサのハードウェアと組み合わせて上述の方法のステップを実現する。
【０１３７】
本願の実施形態における第１のネットワーク要素は第１の通信モジュールをさらに含んでもよいことが理解されるべきである。第１の通信モジュールは、ネットワークスライス構成情報などの情報を送信するように構成される。
【０１３８】
本願の実施形態における第２のネットワーク要素は、第２の通信モジュールをさらに含んでもよいことが理解されるべきである。第２の通信モジュールは、ネットワークスライス構成情報などの情報を送信するように構成される。
【０１３９】
本願の実施形態において開示されるデバイスおよび方法は、他の態様で実現されてもよいことが理解されるべきである。上で記載されるデバイスの実施形態は、単なる例示である。たとえば、ユニットの分割は単に論理的機能の分割であり、実際には他の態様で実現されてもよい。たとえば、複数のユニットまたは構成要素が、組み合わされてもよく、別のシステムに統合されてもよく、または、いくつかの特徴が省略されてもよく、もしくは、実行されなくてもよい。さらに、提示または論じられる構成要素同士間の結合、直接的な結合、または、通信接続は、インターフェイスを介したデバイス同士またはユニット同士間の間接的な結合または通信接続であってもよく、電気的、機械的、または他の形態であってもよい。
【０１４０】
別個の構成要素として上記で記載されるユニットは、物理的に分離されてもよく、または、物理的に分離されなくてもよい。ユニットとして提示される構成要素は、物理的ユニットであってもよく、物理的ユニットでなくてもよい。すなわち、１つの場所に配置されてもよく、または、複数のネットワークユニットにわたって分散されてもよい。これらのユニットの部分または全ては、本実施形態においてソリューションの目的を達成するために、実際の要求に従って選択され得る。
【０１４１】
さらに、本開示の実施形態におけるさまざまな機能ユニットは、全て１つの処理ユニットに統合されてもよく、各ユニットは別個のユニットとして使用されてもよく、または、２つ以上のユニットが１つのユニットに統合されてもよい。統合された機能ユニットは、ハードウェアによって実現されてもよく、または、ハードウェアおよびソフトウェア機能ユニットによって実現されてもよい。
【０１４２】
上に記載した方法の実施形態のステップの全てまたは部分は、プログラム命令に関連するハードウェアによって実現されてもよく、これらのプログラムは、コンピュータ読取可能記憶媒体に格納されてもよく、当該プログラムは、実行されると、上に記載した方法の実施形態を含むステップを実行することが当業者によって理解され得る。前述の記憶媒体は、リムーバブル記憶デバイス、ＲＯＭ、ＲＡＭ、磁気ディスクまたは光ディスクといった、プログラムコードを格納可能なさまざまな媒体を含む。
【０１４３】
代替的には、本開示の上述した統合されたユニットは、ソフトウェア機能モジュールの形態で実現される場合、または、独立したプロダクトとして販売もしくは使用される場合、コンピュータ読取可能記憶媒体に格納されてもよい。この理解に基づいて、本開示の実施形態によって提供される技術的ソリューション、または、既存の技術に対して貢献する部分は、ソフトウェアプロダクトの形態で具現化されてもよい。コンピュータソフトウェアプロダクトは、記憶媒体に格納され、かつ、コンピュータ装置（パーソナルコンピュータ、サーバまたはネットワーク装置などであってもよい）が本開示の実施形態によって提供される方法の全てまたは部分を実行することを可能にするためのいくつかの命令を含む。前述の記憶媒体は、リムーバブル記憶デバイス、ＲＯＭ、磁気ディスク、または、光ディスクといった、プログラムコードを格納可能なさまざまな媒体を含む。
【０１４４】
上記は単に、本開示の特定の実施形態であり、本開示を限定することを意図しない。当業者であれば、本開示の技術的範囲内において、修正例または代用例に想到することは容易である。これらの修正例または代用例は本開示の範囲内にある。したがって、本開示の保護範囲は、添付の請求の範囲に従う。
【図１】
2021510266.tif 000009
【図２】
2021510266.tif 000010
【図３】
2021510266.tif 000011
【図４】
2021510266.tif 000012
【図５】
2021510266.tif 000013
【図６】
2021510266.tif 000014
【図７】
2021510266.tif 000015
【図８】
2021510266.tif 000016
【図９】
2021510266.tif 000017
【図１０】
2021510266.tif 000018
【図１１】
2021510266.tif 000019
【図１２】
2021510266.tif 000020
【図１３】
2021510266.tif 000021
【図１４】
2021510266.tif 000022
【図１５】
2021510266.tif 000023
【国際調査報告】
2021510266.tif 000024
2021510266.tif 000025
2021510266.tif 000026
2021510266.tif 000027